(57)【要約】【課題】  適正量で薬剤を供給させ、さらに常に高濃度の薬剤が便器内面と水たまりとに残存することができる水洗トイレ用薬剤供給具を提供すること。【解決手段】  液状の薬剤を貯留するとともに当該薬剤を導出する導出孔を有する薬剤貯留部と、前記導出孔を開閉する開閉手段と、フラッシュによる水を導入し一定量の水を保持することができるとともに排出する排出口を有する貯水部と、前記排出口から排出されたものを拡散させながら供給する供給部とを備えるとともに、水洗トイレのリム部に配置される水洗トイレ用薬剤供給具であって、前記開閉手段は、貯水部に所定量以上の水を保持したときに導出孔を開き、貯水部の水と薬剤とを混合させることを特徴とする。【選択図】      図２
2005290867.tif 000002
【特許請求の範囲】
【請求項１】
液状の薬剤を貯留するとともに当該薬剤を導出する導出孔を有する薬剤貯留部と、前記導出孔を開閉する開閉手段と、フラッシュによる水を導入し一定量の水を保持することができるとともに排出する排出口を有する貯水部と、前記排出口から排出されたものを拡散させながら供給する供給部とを備えるとともに、水洗トイレのリム部に配置される水洗トイレ用薬剤供給具であって、
前記開閉手段は、貯水部に所定量以上の水を保持したときに導出孔を開き、貯水部の水と薬剤とを混合させることを特徴とする水洗トイレ用薬剤供給具。
【請求項２】
前記薬剤貯留部は、さらにパイプを介して接続された薬剤容器を備える請求項１に記載の水洗トイレ用薬剤供給具。
【請求項３】
前記開閉手段は、フロートである請求項１又は２に記載の水洗トイレ用薬剤供給具。
【請求項４】
前記供給部は、水洗トイレのリム部に沿うように設置されている請求項１〜３のいずれかに記載の水洗トイレ用薬剤供給具。
【請求項５】
前記排出口の全面積は、所定量の水の体積１０ｃｍ3に対して０．００００７ｃｍ2以上０．１７５ｃｍ2以下とする請求項１〜４のいずれかに記載の水洗トイレ用薬剤供給具。
【請求項６】
前記薬剤の比重は、１．０より大きく１．５以下である請求項１〜５のいずれかに記載の水洗トイレ用薬剤供給具。
【発明の詳細な説明】
【技術分野】
【０００１】
本発明は、水洗トイレ用薬剤供給具に関し、特に水洗トイレのリム部に配置される水洗トイレ用薬剤供給具に関する。
【背景技術】
【０００２】
従来の水洗トイレ用薬剤供給具としては、例えば、水洗トイレの貯水タンクの蓋上に載せて使用されるものが提案されている（例えば、特許文献１参照）。このような水洗トイレ用薬剤供給具は、水洗トイレの貯水タンクの蓋上に載せられて、かつ、放水タップの直下に配置される。そして、放水タップから水が放出されると、水が流下して薬剤を溶解させた後、蓋に設けられている穴から貯水タンク内に流入する。この貯水タンク内に流入した薬剤を溶解した水は、次のフラッシュ時に便器内に供給されて洗浄に供される。
【０００３】
しかしながら、貯水タンク内の大量の水で薬剤が、さらに希釈されるため、便器内面と水たまりとに残存する薬剤の濃度は非常に薄いものであった。
【０００４】
そこで、例えば、図４に示すような水洗トイレのリム部で使用されるものが提案されている（例えば、特許文献２参照）。すなわち、液吐出装置５０は、ボトル４８と、ボトル４８下に配置された吐出プレート４９とを有している。ボトル４８には、その内部に液が収容され、下端部に口が設けられている。
【０００５】
このような液吐出装置５０は、水洗トイレのリム部に配置される。その後、口から液が導出され、吐出プレート４９上に液が保持される。そして、フラッシュによる水が導入されると、水が吐出プレート４９上を流れて液を溶解させた後、便器内に供給されて洗浄に供される。
【特許文献１】実用新案登録公報第２５６１３７９号公報
【特許文献２】特表２００３−５１７１２３号公報
【発明の開示】
【発明が解決しようとする課題】
【０００６】
しかしながら、吐出プレート４９上に保持された液は、フラッシュ時に洗い流されてしまうので、便器内面と水たまりとに残存する薬剤の濃度はまだ薄いものであった。さらに、フラッシュの間隔によって液の吐出量にばらつきが生じる問題があった。
【０００７】
本発明はこのような従来の課題に鑑みてなされたものであり、本発明の目的は、適正量で薬剤を供給させ、さらに常に高濃度の薬剤が便器内面と水たまりとに残存することができる水洗トイレ用薬剤供給具を提供することである。
【課題を解決するための手段】
【０００８】
すなわち、本発明の水洗トイレ用薬剤供給具は、液状の薬剤を貯留するとともに当該薬剤を導出する導出孔を有する薬剤貯留部と、前記導出孔を開閉する開閉手段と、フラッシュによる水を導入し一定量の水を保持することができるとともに排出する排出口を有する貯水部と、前記排出口から排出されたものを拡散させながら供給する供給部とを備えるとともに、水洗トイレのリム部に配置される水洗トイレ用薬剤供給具であって、前記開閉手段は、貯水部に所定量以上の水を保持したときに導出孔を開き、貯水部の水と薬剤とを混合させる。
【０００９】
本発明の水洗トイレ用薬剤供給具によれば、リム部に配置されるとともに貯水部を備えているので、一定量の水を保持することができ、フラッシュ終了後にも、便器内に薬剤を供給し洗浄に供することができる。さらに、フラッシュ時に全て洗い流されてしまうこともなく、便器内面と水たまりとに残存する薬剤の濃度を高くすることができる。
【００１０】
このとき、供給部を備えているので、便器内面の広い領域に薬剤を供給することができる。
【００１１】
さらに、開閉手段を備えているので、常に適正量で薬剤を供給することができる。
【００１２】
したがって、便器内において、常に芳香を強く、洗浄・防汚効果を高く保つことができる。
【００１３】
また、前記薬剤貯留部は、さらにパイプを介して接続された薬剤容器を備えることが好ましい。
【００１４】
このようにパイプを介して薬剤容器を接続すると、便器外に薬剤容器を設置できるので、衛生的に優れたものとすることができる。
【００１５】
また、前記開閉手段は、フロートであることが好ましい。
【００１６】
このように開閉手段にフロートを用いれば、貯水部に所定量以上の水を保持したときに導出孔を開くような構造が容易に形成できる。
【００１７】
また、前記供給部は、水洗トイレのリム部に沿うように設置されていることが好ましい。
【００１８】
供給部を水洗トイレのリム部に沿うように設置させることにより、便器内面の広い領域に薬剤をより供給できる。なお、「リム部に沿うように」とは、供給部の端部の一部が、すべて接している状態と、供給部の端部の一部が一部分接している状態と、供給部の端部が接しておらず、リム部との間に小さな隙間を有している状態のことである。
【００１９】
さらに、前記排出口の全面積は、所定量の水の体積１０ｃｍ3に対して０．００００７ｃｍ2以上０．１７５ｃｍ2以下とすることが好ましい。
【００２０】
排出口の全面積を所定量の水の体積１０ｃｍ3に対して０．００００７ｃｍ2以上０．１７５ｃｍ2以下とすることにより、貯水部に一定時間以上保持することができるので、フラッシュ終了後にも、確実に便器内に薬剤を供給し芳香・洗浄に供することができる。
【００２１】
そして、前記薬剤の比重は、１．０より大きく１．５以下であることが好ましい。
【発明の効果】
【００２２】
本発明の水洗トイレ用薬剤供給具によれば、リム部に配置されるとともに貯水部を備えているので、一定量の水を保持することができ、フラッシュ終了後にも、便器内に薬剤を供給し洗浄に供することができる。さらに、フラッシュ時に全て洗い流されてしまうこともなく、便器内面と水たまりとに残存する薬剤の濃度を高くすることができる。
【００２３】
このとき、供給部を備えているので、便器内面の広い領域に薬剤を供給することができる。
【００２４】
さらに、開閉手段を備えているので、常に適正量で薬剤を供給することができる。
【００２５】
したがって、便器内において、常に芳香を強く、洗浄・防汚効果を高く保つことができる。
【発明を実施するための最良の形態】
【００２６】
以下、本発明の実施形態を図面に従って詳細に説明する。
【００２７】
図１は、本発明の一実施形態の水洗トイレ用薬剤供給具の平面図（一部を透視図とする）を示し、図２は、図１のＡ−Ａ線に沿った断面図を示している。水洗トイレ用薬剤供給具１は、薬剤貯留部２と、フロート３と、貯水部４と、供給部５と、懸垂部６とを備えている。
【００２８】
水洗トイレ用薬剤供給具１は、コの字状の懸垂部６により水洗トイレ１０のリム部１１に係合され固定されている。なお、懸垂部６は、水洗トイレ用薬剤供給具１がリム部１１に取り付けられているときには、コの字状になっているが、取り外されているときには、一端が開いた三角形状をしている。したがって、このとき三角形状をコの字状に変形させて係合させるため、水洗トイレ用薬剤供給具１は、水洗トイレ１０のリム部１１に強固に固定されている。
【００２９】
また、水洗トイレ用薬剤供給具１は、水洗トイレ１０の便座部１２がリム部１１に載置可能であるように配置されている。すなわち、水洗トイレ１０の便座部１２の上下動を自由に行うことができる。
【００３０】
薬剤貯留部２は、貯薬剤部１３とパイプ１５と薬剤容器１４とを備えている。貯薬剤部１３は、内部を空洞とした略円筒形状をしており、上面に円形状の第１接続孔１３ａと下面に円形状の導出孔１３ｂと有している。薬剤容器１４は、内部を空洞とした形状をしており、一の面に第２接続孔１４ａを有している。パイプ１５は、第１接続孔１３ａと第２接続孔１４ａとを連結している。また、パイプ１５は、水洗トイレ１０の便座部１２の上下動を自由に行うことができるように、便座部１２とリム部１１との隙間に配置されている。したがって、貯薬剤部１３は便器内に配置され、一方、薬剤容器１４は便器外に配置されている。なお、薬剤容器１４内部の薬剤は貯薬剤部１３内部に流れるように形成されている。
【００３１】
貯水部４は、タンク部４ａと導入プレート部４ｂとを有している。タンク部４ａは、上面がない略円筒形状をしており、底面に複数の円形状の排出口４ｃを有している。また、タンク部４ａは、導出孔１３ｂからの薬剤をタンク部４ａ内部に導くように、導出孔１３ｂの下方に位置している。さらに、タンク部４ａは、一定量の水を保持することができる大きさの形状であり、排出口４ｃの全面積は、所定量の水の体積１０ｃｍ3に対して０．００００７ｃｍ2以上０．１６ｃｍ2以下とするように形成されている。一方、導入プレート部４ｂは、タンク部４ａにフラッシュによる水を導くように、平面視略扇形状をしており、端部の一部には高さを有する側壁４ｄを有している。
【００３２】
フロート３は、円柱形状３ａと円柱形状３ｂとを有し、さらに円柱形状３ａと円柱形状３ｂとを連結する連結部３ｃを有している。そして、フロート３の比重は、水の比重よりも小さくなっている。また、円柱形状３ａは、貯薬剤部１３内に配置され、円柱形状３ａの直径は、第１接続孔１３ａ及び導出孔１３ｂの直径よりも大きくなっている。一方、円柱形状３ｂは、タンク部４ａ内に配置されている。そして、連結部３ｃは、導出孔１３ｂの面積よりも小さい断面積を有し、導出孔１３ｂを通されて円柱形状３ａと円柱形状３ｂとを連結している。また、連結部３ｃは、常に円柱形状３ａと円柱形状３ｂとの距離を一定に保つように形成されている。
【００３３】
供給部５は、平面視略扇形状を有しており、端部の一部には高さを有する側壁５ａを有している。さらに、供給部５の上面には、溝５ｂが形成されている。また、排出口４ｃから排出されたものを供給部５上面に導くように、排出口４ｃの下方に位置している。そして、供給部５は、便器内に拡散させながら供給するように、扇形の端部の一部を便器内面に接触して設置されている。
【００３４】
また、薬剤容器１４は、パイプ１５から取り付け・取り外し可能に形成されている。したがって、使用開始前の状態において、薬剤容器１４の第２接続孔１４ａは例えば剥離可能なシールや破砕しやすい密封部などにより閉鎖されて、薬剤容器１４内部に薬剤が収容されている。そして、使用の際に、薬剤容器１４の第２接続孔１４ａからシールを除去したり、密封部を破砕したりなどして、パイプ１５に取り付けることになる。
【００３５】
上記薬剤は、各種洗浄剤、漂白剤、酸化剤、殺菌剤、忌避剤、殺虫剤、空気洗浄剤、消臭剤、脱臭剤、芳香剤、色素等が適宜選択されて混入されてなる。
【００３６】
また、上記薬剤の比重は、１．０より大きく１．５以下であることが好ましい。
【００３７】
上記排出口の全面積は、所定量の水の体積１０ｃｍ3に対して０．００００７ｃｍ2以上０．１７５ｃｍ2以下とすることがより好ましく、０．０００７ｃｍ2以上０．１６ｃｍ2以下とすることがより好ましく、０．０００７ｃｍ2以上０．１０ｃｍ2以下とすることがさらにより好ましい。
【００３８】
次に、本発明の一実施形態の水洗トイレ用薬剤供給具の使用方法の一例について図３ａ〜図３ｄを用いて説明する。
【００３９】
（１）まず、水洗トイレ用薬剤供給具１を使用するに際しては、薬剤容器１４の第２接続孔１４ａからシールを除去した後、パイプ１５に取り付ける。これより、薬剤容器１４内部の薬剤は、パイプ１５を介して貯薬剤部１３に流れる。
【００４０】
このとき、フロート３には重力が働き下向きの力が加わっているので、フロート３の円柱形状３ａは貯薬剤部１３の導出孔１３ｂを閉鎖し、薬剤は貯薬剤部１３内部で保持される（図３ａ参照）。
【００４１】
（２）リム部１１からフラッシュによる水が放出されると、貯水部４の導入プレート部４ｂに流下したフラッシュによる水が、タンク部４ａに導かれる。このとき、タンク部４ａは、導入された水を排出口４ｃから徐々に排出していく。しかし、一定時間に、排出される水の量よりも、導入される水の量が多くなるため、水はタンク部４ａ内部で保持されていく。
【００４２】
保持された水が所定量になると、タンク部４ａ内のフロート３の円柱形状３ｂには浮力が働き上向きの力が加わっているので、フロート３は貯薬剤部１３の導出孔１３ｂを開放し、薬剤は貯薬剤部１３からタンク部４ａへ導出される。フラッシュによる水の一部は、タンク部４ａ内に導かれないまま便器内面に流される。
【００４３】
その後、導出された薬剤と水とが、タンク部４ａで混合されながら、排出口４ｃから排出されていく（図３ｂ参照）。
【００４４】
（３）さらに、保持された水が所定量を超えて、限界所定量になると、タンク部４ａ内のフロート３の円柱形状３ｂには浮力が働き上向きの力が加わっているが、フロート３の円柱形状３ａが貯薬剤部１３の上面と接触するため、フロート３は停止する。したがって、フロート３の円柱形状３ａが第１接続孔１３ａを閉鎖し、薬剤は薬剤容器１４から貯薬剤部１３へ流れなくなる。
【００４５】
このとき、貯薬剤部１３の保持されていた薬剤が、貯薬剤部１３からタンク部４ａへ導出される。このときも、フラッシュによる水の一部は、タンク部４ａ内に導かれないまま便器内面に流される。その後、導出された薬剤と水とが、タンク部４ａで混合されながら、排出口４ｃから排出されていく（図３ｃ参照）。
【００４６】
（４）リム部１１からフラッシュによる水が弱まり出すと、一定時間に、排出される水の量が、導入される水の量より多くなるため、タンク部４ａ内部の水の量が減少していく。
【００４７】
保持された水が限界所定量よりも少なくなると、フロート３の円柱形状３ａが第１接続孔１３ａを開放し、薬剤は薬剤容器１４から貯薬剤部１３に流れる。
【００４８】
このとき、薬剤が、貯薬剤部１３からタンク部４ａへ導出される。その後、導出された薬剤と水とが、タンク部４ａで混合されながら、排出口４ｃから排出されていく（図３ｂ参照）。
【００４９】
（５）保持された水が所定量よりも少なくなると、再び、フロート３には重力が働き下向きの力が加わっているので、フロート３の円柱形状３ａは貯薬剤部１３の導出孔１３ｂを閉鎖し、薬剤は貯薬剤部１３内部で保持される。
【００５０】
このとき、タンク部４ａに保持されていた薬剤と水とが、排出口４ｃから排出されていく。なお、このとき、薬剤のみが排出口４ｃから排出されていくようにしてもよい（図３ｄ参照）。
【００５１】
このように本発明の水洗トイレ用薬剤供給具１によれば、リム部１１に配置されるとともに貯水部４を備えているので、一定量の水を保持することができ、フラッシュ終了後にも、便器１０内に薬剤を供給し洗浄に供することができる。さらに、フラッシュ時に全て洗い流されてしまうこともなく、便器内面と水たまりとに残存する薬剤の濃度を高くすることができる。
【００５２】
このとき、供給部５を備えているので、便器内面の広い領域に薬剤を供給することができる。
【００５３】
さらに、フロート３を備えているので、常に適正量で薬剤を供給することができる。
【００５４】
したがって、便器１０内において、常に芳香を強く、洗浄・防汚効果を高く保つことができる。
【００５５】
なお、水洗トイレ用薬剤供給具１は、貯薬剤部１３、第１接続孔１３ａ、導出孔１３ｂ、タンク部４ａ、フロート３等の形状、大きさ、位置等は、他の任意の形状、大きさ、位置等に設定されてもよく、特に限定されない。また、開閉手段として、フロート以外のものを使用してもよい。
【００５６】
また、上記懸垂部６は、取り外されているときには、一端が開いた三角形状をしているが、特に限定されない。
【００５７】
また、上記フロート３の円柱形状３ｂの体積は、円柱形状３ａの体積より大きくなっていることが好ましい。
【００５８】
また、薬剤容器内部の薬剤が貯薬剤部内部に流れるように形成されていればよく、特に限定されないが、例えば、パイプ内にろ紙等を配置してもよい。
【００５９】
また、タンク部４ａへ導かれるフラッシュによる水の導入量は、導入プレート部４ｂの面積及び角度や側壁４ｄの高さに応じた量となる。したがって、導入プレート部４ｂの面積及び角度や側壁４ｄの高さを調整しつつ設計を行うことにより、タンク部４ａに導入される水の導入量を制御することができる。
【００６０】
また、供給部５から便器１０内に供給される供給方法は、供給部５の面積、角度及び形状や側壁５ａの高さや溝５ｂの形状に応じる。したがって、供給部５の面積、角度及び形状や側壁５ａの高さや溝５ｂの形状を調整しつつ設計を行うことにより、便器１０内に供給される供給方法を制御することができる。
【００６１】
さらに、供給部は、種々のリム部に沿うように設置できるように調整できるものとすることが好ましい。例えば、柔軟性のあるゴム等の素材で形成したり、何段階で長さを変化させることができる構造としたりすること等が挙げられる。
【００６２】
そして、本発明の水洗トイレ用薬剤供給具は、一の水洗トイレに、１つ使用されてもよく、２つ以上使用されてもよい。
【実施例】
【００６３】
以下に実施例を挙げて本発明をさらに詳細に説明するが、本発明はこれらの実施例のみに限定されるものではない。
【００６４】
＜実施例１＞
図１のような水洗トイレ用薬剤供給具を作製し、実施例１に係る水洗トイレ用薬剤供給具とした。
【００６５】
なお、貯薬剤部は、内面直径０．７ｃｍ、内面高さ１．０ｃｍである略円筒形状をしており、上面に直径０．４ｃｍの円形状の第１接続孔と下面に直径０．３ｃｍの円形状の導出孔と有している。
【００６６】
また、タンク部は、内面直径２．３ｃｍ、内面高さ３．４ｃｍ（導入プレート部までの高さ２．４ｃｍ）である略円筒形状をしており、底面に２個の直径０．２５ｃｍの円形状の排出口を有している。
【００６７】
また、導入プレート部は、半径７．５ｃｍ、中心角６０°の平面視略扇形状をしており、端部の一部には高さ０．４ｃｍを有する側壁を有している。
【００６８】
また、フロートは、貯薬剤部内に直径０．５ｃｍ、高さ０．６ｃｍの円柱形状と、タンク部内に直径１．５ｃｍ、高さ１．０ｃｍの円柱形状とを有し、さらに直径０．２ｃｍ、高さ１．５ｃｍの連結部を有している。そして、フロートの比重は、０．９５としている。
【００６９】
また、供給部は、半径７．０ｃｍ、中心角６０°の平面視略扇形状をしており、端部の一部には高さ０．４ｃｍを有する側壁を有している。
【００７０】
なお、得られた実施例１に係る水洗トイレ用薬剤供給具において、所定量の水の体積は１０．０ｃｍ3であり、排出口の全面積は０．０９８ｃｍ2であった。
【００７１】
＜実施例２＞
底面に２個の直径０．２５ｃｍの円形状の排出口に代えて、底面に１個の直径０．４ｃｍの円形状の排出口を形成した以外は、実施例１と同様な実施例２に係る水洗トイレ用薬剤供給具を得た。
【００７２】
なお、得られた実施例２に係る水洗トイレ用薬剤供給具において、所定量の水の体積は１０．０ｃｍ3であり、排出口の全面積は０．１２６ｃｍ2であった。
【００７３】
＜実施例３＞
底面に２個の直径０．２５ｃｍの円形状の排出口に代えて、底面に１個の直径０．４５ｃｍの円形状の排出口を形成した以外は、実施例１と同様な実施例３に係る水洗トイレ用薬剤供給具を得た。
【００７４】
なお、得られた実施例３に係る水洗トイレ用薬剤供給具において、所定量の水の体積は１０．０ｃｍ3であり、排出口の全面積は０．１５９ｃｍ2であった。
【００７５】
＜実施例４＞
底面に２個の直径０．２５ｃｍの円形状の排出口に代えて、底面に１個の直径０．４７ｃｍの円形状の排出口を形成した以外は、実施例１と同様な実施例４に係る水洗トイレ用薬剤供給具を得た。
【００７６】
なお、得られた実施例４に係る水洗トイレ用薬剤供給具において、所定量の水の体積は１０．０ｃｍ3であり、排出口の全面積は０．１７３ｃｍ2であった。
【００７７】
＜比較例１＞
図４のような水洗トイレ用薬剤供給具（商品名：ＶＡＮＩＳＨ、エス．シー．ジョンソン  アンド  サン、インコーポレイテッド製）を、比較例１に係る水洗トイレ用薬剤供給具とした。
【００７８】
＜試験方法１＞
実施例１〜４及び比較例１に係る水洗トイレ用薬剤供給具を、水洗トイレ（商品名：タンクＳ７３１、便器Ｃ７３０、東陶機器（株）製）のリム部の円周上の４時の位置に配置した。
【００７９】
なお、香料８．７重量％と、非イオン界面活性剤１４．３重量％と、両性界面活性剤２．０重量％と、イオン交換水７４．５重量％と、青色１号０．５重量％とを混合し、薬剤とした。得られた薬剤の粘度は、８５ｍＰａ・ｓ（２５℃）であり、比重は１．０２であった。
【００８０】
（１）供給時間
室温２５℃、水温２５℃の条件下で、フラッシュ終了後、薬剤と水とが供給される時間を測定した。その結果を表１に示す。
【００８１】
（２）薬剤濃度
室温２５℃、水温２５℃の条件下で、フラッシュ終了５分後の水たまりの吸光度を  （商品名：ＵＶ−１６００、ＳＨＩＭＡＤＺＵ製）で測定し、薬剤濃度を計算した。その結果を表１に示す。
【００８２】
【表１】
2005290867.tif 000003
【００８３】
表１の結果から明らかなように、実施例１〜４に係る水洗トイレ用薬剤供給具は、フラッシュ終了後、便器内に薬剤が供給されるため、水たまりに残存する薬剤の濃度を高くすることができた。特に、実施例１〜３に係る水洗トイレ用薬剤供給具は、優れたものであった。一方、比較例１に係る水洗トイレ用薬剤供給具において、水たまりに残存する薬剤の濃度は低かった。
【００８４】
＜試験方法２＞
実施例１及び比較例１に係る水洗トイレ用薬剤供給具を、容積１５００Ｌの官能ボックス内に設置された水洗トイレ（商品名：タンクＳ７３１、便器Ｃ７３０、東陶機器（株）製）のリム部の円周上の４時の位置に配置した。
【００８５】
なお、香料８．７重量％と、非イオン界面活性剤１４．３重量％と、両性界面活性剤２．０重量％と、イオン交換水７４．５重量％と、青色１号０．５重量％とを混合し、薬剤とした。得られた薬剤の粘度は、８５ｍｐａ・ｓ（２５℃）であり、比重は１．０２であった。
【００８６】
（１）供給量
１時間置きにフラッシュを行い、水洗トイレ用薬剤供給具中の薬剤の残存率を測定した。さらに、２時間置きにフラッシュを行い、水洗トイレ用薬剤供給具中の薬剤の残存率を測定した。その結果を図５、６に示す。
【００８７】
（２）芳香効果
室温２５℃、水温２５℃の条件下で、フラッシュ終了一定時間後に、熟練したパネラ１０名によって、芳香（香料）の強さについて５段階で官能評価した。その結果を表２に示す。
５：強い
４：やや強い
３：どちらともいえない
２：やや弱い
１：弱い
【００８８】
【表２】
2005290867.tif 000004
【００８９】
表２及び図５、６の結果から明らかなように、実施例１に係る水洗トイレ用薬剤供給具は、常に適正量で薬剤を供給することができた。一方、比較例１に係る水洗トイレ用薬剤供給具において、１時間置きにフラッシュを行ったものと２時間置きにフラッシュを行ったものとの残存率の変化が異なり、薬剤の供給量にばらつきがあった。
【００９０】
＜試験方法３＞
実施例１に係る水洗トイレ用薬剤供給具を、水洗トイレ（商品名：タンクＳ７３１、便器Ｃ７３０、東陶機器（株）製）のリム部の円周上の４時の位置に配置した。
【００９１】
次に、表３の配合（重量％）により、製造例１〜３に係る薬剤を得た。得られた製造例１〜３に係る薬剤の比重も、表３に示す。
【００９２】
（１）供給状態
室温２５℃、水温２５℃の条件下で、フラッシュを行い、タンク部で薬剤と水とが供給される状態を２段階で官能評価した。その結果を表３に示す。
○：薬剤が排出口を通って供給される
×：一部の薬剤が排出口を通って供給されない
【００９３】
【表３】
2005290867.tif 000005
【００９４】
表３の結果から明らかなように、製造例１、２に係る薬剤において、フラッシュされると、薬剤が排出口から排出され、便器内面の広い領域に供給された。一方、製造例３に係る薬剤において、一部の薬剤が排出口から排出されず、便器内面に供給されるものがあり、フラッシュ時に流されてしまった。
【図面の簡単な説明】
【００９５】
【図１】本発明の一実施形態の水洗トイレ用薬剤供給具の平面図である。
【図２】図１のＡ−Ａ線に沿った断面図である。
【図３ａ】本発明の一実施形態の水洗トイレ用薬剤供給具の使用方法の一例を示す図である。
【図３ｂ】本発明の一実施形態の水洗トイレ用薬剤供給具の使用方法の一例を示す図である。
【図３ｃ】本発明の一実施形態の水洗トイレ用薬剤供給具の使用方法の一例を示す図である。
【図３ｄ】本発明の一実施形態の水洗トイレ用薬剤供給具の使用方法の一例を示す図である。
【図４】従来の水洗トイレ用薬剤供給具を示す斜視図である。
【図５】実施例１に係る水洗トイレ用薬剤供給具中の薬剤の残存率を示す図である。
【図６】比較例１に係る水洗トイレ用薬剤供給具中の薬剤の残存率を示す図である。
【符号の説明】
【００９６】
１  水洗トイレ用薬剤供給具
２  薬剤貯留部
３  フロート
４  貯水部
５  供給部
６  懸垂部
１０  水洗トイレ
１１  リム部
１２  便座部
１３  貯薬剤部
１４  薬剤容器
１５  パイプ
４８  ボトル
４９  吐出プレート
５０  液吐出装置
【図１】
2005290867.tif 000006
【図２】
2005290867.tif 000007
【図３ａ】
2005290867.tif 000008
【図３ｂ】
2005290867.tif 000009
【図３ｃ】
2005290867.tif 000010
【図３ｄ】
2005290867.tif 000011
【図４】
2005290867.tif 000012
【図５】
2005290867.tif 000013
【図６】
2005290867.tif 000014